(57)【要約】【課題】  簡単な装置でかつ迅速に未精白米の発生を防止する精米装置の構成にすること課題とする。【解決手段】  穀粒供給口（１５）及び穀粒排出口（１９）を形成する精白室（Ｎ）と、該精白室（Ｎ）に供給する穀粒を貯留する貯留ホッパ（１０）と、前記穀粒排出口（１９）側に精白室（Ｎ）内の精白圧力を調節する圧力調節手段（２５）とを設けた精米装置において、精白処理作業開始直後及び精白処理作業終了間際に前記圧力調節手段（２５）が穀粒排出口（１９）を閉状態にする位置に移動して精白室（Ｎ）内の穀粒を精白処理する未精白米防止処理工程を設けると共に、貯留ホッパ（１０）から設定量の穀粒を採取する穀粒採取手段（Ｍ）を設け、該穀粒採取手段（Ｍ）で採取された穀粒は精白処理作業終了間際の未精白米防止処理工程時に精白室（Ｎ）に供給する構成とする。【選択図】  図２
2008207061.tif 000002
【特許請求の範囲】
【請求項１】
穀粒供給口（１５）及び穀粒排出口（１９）を形成する精白室（Ｎ）と、該精白室（Ｎ）に供給する穀粒を貯留する貯留ホッパ（１０）と、前記穀粒排出口（１９）側に精白室（Ｎ）内の精白圧力を調節する圧力調節手段（２５）とを設けた精米装置において、
精白処理作業開始時及び精白処理作業終了間際に前記圧力調節手段（２５）が穀粒排出口（１９）を閉塞する位置に移動して精白室（Ｎ）内の穀粒を精白処理する未精白米防止処理工程を設けたことを特徴とする精米装置。
【請求項２】
貯留ホッパ（１０）から設定量の穀粒を採取する穀粒採取手段（Ｍ）を設け、該穀粒採取手段（Ｍ）で採取された穀粒は精白処理作業終了間際の未精白米防止処理工程時に精白室（Ｎ）に供給する構成としたことを特徴とする請求項１記載の精米装置。
【請求項３】
貯留ホッパ（１０）には貯留ホッパ（１０）内の穀粒の有無を検出する穀粒有無検出センサ（１０ａ，１０ｂ）を上下方向に複数設け、穀粒採取手段（Ｍ）は上側の穀粒有無センサ（１０ｂ）が穀粒有りを検出した後に貯留ホッパ（１０）内の穀粒を採取する構成とすると共に、下段の穀粒有無検出センサ（１０ａ）が穀粒無しを検出した後に貯留ホッパ（１０）内に採取した穀粒を排出することを特徴とする請求項２記載の精米装置。
【発明の詳細な説明】
【技術分野】
【０００１】
本発明は精米装置に関する。
【背景技術】
【０００２】
特許文献１には精米開始直後に精米装置から排出された精白圧力不足の未精白米を採取し、精米終了間際に再度精白室に供給して精白処理して排出することにより、精米開始直後及び精米終了間際における精白圧力不足からくる未精白米の排出を防止する内容が記載されている。
【特許文献１】特開平９−３１３９５８号公報
【発明の開示】
【発明が解決しようとする課題】
【０００３】
特許文献１のように精米装置から排出された未精白米を採取し、精米作業終了間際に精白室に供給することで未精白米の排出を防止する構成は、一旦精白室から排出された未精白米を還元して精米作業終了時に再度精白処理を行なうため、その分精白処理に要する全体の時間が長くなってしまうという欠点がある。また、一旦精白室から排出された未精白米を再度精白室に供給するための還元装置や切替装置を設ける必要があり精米装置全体が大きくなってしまうという欠点が生じていた。
【０００４】
本発明は簡単な装置でかつ迅速に未精白米の発生を防止する精米装置の構成にすること課題とする。
【課題を解決するための手段】
【０００５】
本発明は、上記課題を解決するために以下のような技術的手段を講じた。
すなわち、請求項１記載の発明は、穀粒供給口（１５）及び穀粒排出口（１９）を形成する精白室（Ｎ）と、該精白室（Ｎ）に供給する穀粒を貯留する貯留ホッパ（１０）と、前記穀粒排出口（１９）側に精白室（Ｎ）内の精白圧力を調節する圧力調節手段（２５）とを設けた精米装置において、精白処理作業開始時及び精白処理作業終了間際に前記圧力調節手段（２５）が穀粒排出口（１９）を閉塞する位置に移動して精白室（Ｎ）内の穀粒を精白処理する未精白米防止処理工程を設けたことを特徴とする精米装置とする。
【０００６】
請求項２記載の発明は、貯留ホッパ（１０）から設定量の穀粒を採取する穀粒採取手段（Ｍ）を設け、該穀粒採取手段（Ｍ）で採取された穀粒は精白処理作業終了間際の未精白米防止処理工程時に精白室（Ｎ）に供給する構成としたことを特徴とする請求項１記載の精米装置とする。
【０００７】
請求項３記載の発明は、貯留ホッパ（１０）には貯留ホッパ（１０）内の穀粒の有無を検出する穀粒有無検出センサ（１０ａ）を上下方向に設け、穀粒採取手段（Ｍ）は上側の穀粒有無センサ（１０ｂ）が穀粒有りを検出した後に貯留ホッパ（１０）内の穀粒を採取する構成とすると共に、下段の穀粒有無検出センサ（１０ａ）が穀粒無しを検出した後に貯留ホッパ（１０）内に採取した穀粒を排出することを特徴とする請求項２記載の精米装置とする。
【発明の効果】
【０００８】
請求項１記載の発明においては、精白室（Ｎ）に十分に穀粒が充填されない精白処理作業開始時や精白処理作業終了間際に精白室（Ｎ）の穀粒排出口を閉塞状態で精白処理がなされるため、精白圧力が高い状態で精白処理がなされるため、未精白米の状態で精白室から排出されることを防止することができる。また、圧力調節手段（２５）の調節で未精白米の発生を防止できるため簡単な装置にすることができる。また、精白処理作業を行なった精白米を精米装置（Ｓ）に還元して再度精白処理を行なう必要がなく、精米装置（Ｓ）を一回通過するだけで全ての穀粒が精白処理がなされるので精白処理作業全体の精白処理時間を短くすることができる。
【０００９】
請求項２記載の発明においては、穀粒採取手段（Ｍ）で採取された穀粒を精白処理作業終了間際の未精白米防止処理工程時に精白室（Ｎ）に供給する構成としたことで、精白処理作業終了間際の未精白米防止処理工程時に精白室（Ｎ）に必要な穀粒量を供給して充填することができるため、十分な精白圧力で精白処理することができるため、未精白米の排出を防止することができる。
【００１０】
請求項３記載の発明においては、穀粒採取手段（Ｍ）が上側の穀粒有無センサ（１０ｂ）の穀粒有りを検出した後に貯留ホッパ（１０）内の穀粒を採取する構成としたことで、貯留ホッパ（１０）に十分な穀粒が貯留された状態で穀粒を採取するため必要な穀粒量を採取しやすくすることができる。また、下段の穀粒有無検出センサ（１０ａ）が穀粒無しを検出した後に貯留ホッパ（１０）内に採取した穀粒を排出して精白室（Ｎ）に供給することで、精白処理作業終了間際の未精白米防止処理工程時に精白室（Ｎ）に供給する穀粒量を安定させることができる。
【発明を実施するための最良の形態】
【００１１】
発明を実施するための最良の形態として、利用者が料金と穀粒を投入して穀粒を精米処理する料金式のコイン精米施設について説明する。
図１は精米施設の作業工程図で１は利用者が穀粒を投入する穀粒投入ホッパ、１ａは穀粒投入ホッパ１内の穀粒の有無を検出する穀粒有無検出センサ、２は穀粒投入ホッパに投入した穀粒の繰出手段であるロータリバルブである。３は穀粒を揚穀して石抜機４に供給する第一昇降機、５は石抜装置４で石抜きされた穀粒を揚穀して精米装置Ｓに供給する第二昇降機である。
【００１２】
精米装置Ｓは第二揚穀機５で揚穀された穀粒を一時貯留する貯留ホッパ１０と貯留ホッパ１０内の穀粒を繰り出す繰出バルブ１１と、繰出バルブ１１で繰り出された穀粒を精白処理する精白室Ｎと、精白室Ｎ内の精白圧力を調節する圧力調節機構Ｗとを設けている。
【００１３】
精白室Ｎは貯留ホッパ１０内の穀粒が供給される穀粒供給口１５と、穀粒供給口１５に供給された穀粒を搬送する搬送ラセン１６と、搬送ラセン１６で搬送された穀粒を精白する精白ロール１７と、精白ロール１７の周囲を覆う多孔状の精白金網１８と、精白室Ｎの終端部に形成する穀粒排出口１９とを設けている。そして、搬送ラセン１６と精白ロール１７は隣接して設け同一の駆動軸２０で駆動する構成としている。
【００１４】
圧力調節機構Ｗは穀粒排出口１９から遠近移動する圧力調節板２５と、圧力調節板２５の位置を遠近移動調節する移動調節モータ２６とを設けている。
貯留ホッパ１０には貯留ホッパ１０内の穀粒の有無を検出するセンサを上下方向に複数個設けている。貯留ホッパ１０の下部に貯留ホッパ１０内の穀粒が無くなる間際であることを検出する第一穀粒有無検出センサ１０ａを設け、第一穀粒有無検出センサ１０ａの上方には後述する穀粒採取手段Ｍの採取のタイミングを検出する第二穀粒有無検出センサ１０ｂを設け、第二穀粒有無検出センサ１０ｂの上方には貯留ホッパ１０内の穀粒が満杯に近い状態であることを検出する第三穀粒有無検出センサ１０ｃを設けている。本実施の形態では第二穀粒有無検出センサ１０ｂは貯留ホッパ１０の中部に、第三穀粒有無検出センサ１０ｃは貯留ホッパ１０の上部に設けている。
【００１５】
穀粒採取手段Ｍは貯留ホッパ１０の側方に設けており、貯留ホッパ１０の側壁に第一穀粒有無検出センサ１０ａと第二穀粒有無検出センサ１０ｂとの間の高さ位置に形成した穀粒採取開口部１０ｄに対向する位置にあって、貯留ホッパ１０の内外にわたって横移動する穀粒採取容器３０と、穀粒採取容器３０の下部にあってピン３３で連結・非連結状態となるガイド３２と、穀粒採取容器３０とガイド３２を横移動させるシリンダ３１とを設けている。また、穀粒採取容器３０は上部開口部３０ａと下部開口部３０ｂとをそれぞれ形成し、穀粒採取容器３０とガイド３２とがピン３３で連結しているときには下部開口部３０ｂはガイド３２で閉塞されており、ピン３３を動かして穀粒採取容器３０とガイド３２とを非連結状態にすると、ガイド３２が待機位置にいる状態で穀粒採取容器３０だけがシリンダ３１で貯留ホッパ１０内に向かって横移動可能となる。そして、穀粒採取容器３０がシリンダ３１により貯留ホッパ１０内に挿入されると下部開口部３０ｂが開口状態になる構成としている。３４はガイド３２及びピン３３を支持する支持部材である。
【００１６】
なお、６は精米装置Ｓで精白処理されて排出された精白米を貯留する白米タンクである。
石抜装置４の構成について説明すると、穀粒と石を選別する多数の孔を形成する揺動選別板４ａと、揺動選別板４ａ面に送風する送風ファン４ｂと、選別した石や残留米を排出する石抜シャッタ４ｃと、選別した石を貯留する石貯留箱４ｄと、石貯留箱４ｄへ石を落下供給する石落下通路４ｅと、残留米を第二昇降機５へ供給する残留米通路４ｆとを設けている。
【００１７】
図５は精米施設の操作盤４０を示す図で、コイン投入口４１、料金表示灯４２、精白度選択スイッチ４３を設け、精白度設定スイッチ４３は無洗米４３ａ、上白４３ｂ、標準４３ｃ、八分４４ｄを設定する構成としている。
【００１８】
次に精米作業について説明する。
利用者はコイン投入口４１に料金を投入すると共に、穀粒投入ホッパ１に原料穀粒である玄米を投入する。そして、精白度選択スイッチ４３の無洗米４３ａ、上白４３ｂ、標準４３ｃ、八分４３ｄのいずれかのスイッチを選択すると、ロータリバルブ２と第一昇降機３と石抜装置４と第二昇降機５とが駆動を開始し、穀粒投入ホッパ1内の玄米がロータリバルブ２で順次搬送を開始される。第一昇降機３から石抜装置４へ供給された玄米は揺動選別板４ａで石を選別除去され、玄米通路４ｇから第二昇降機５を経て貯留ホッパ１０に玄米が供給され貯留されていく。そして、第一穀粒有無検出センサ１０ａが穀粒有りを検出すると繰出バルブ１１と駆動軸２０と移動調節モータ２６の駆動を開始し、精白処理作業を開始する。
【００１９】
精白処理開始時には精白圧力不足による未精白米が白米タンク６に排出されないようにする開始時未精白米防止処理工程が行われる。すなわち、移動調節モータ２６で圧力調節板２５が穀粒排出口１９を閉塞する位置（ｒ）に移動し、繰出バルブ１１で貯留ホッパ１０内の玄米を穀粒供給口１５から精白室Ｎ内に供給する。そして、搬送ラセン１６で搬送された玄米は精白ロール１７と精白金網１８との間の空間ｋに充填され、設定時間穀粒排出口１９から精白米を排出しないで精白ロール１７の回転作用で空間ｋ内に充填された玄米同士で摩擦して精白処理される。
【００２０】
精白処理開始から設定時間経過後、圧力調節板２５が穀粒排出口１９を開放する方向に移動し、精白度選択スイッチ４３で設定した精白度に対応する位置（ｐ）に移動する。そして、選択された精白圧力で精白された玄米は、精白米として穀粒排出口１９より順次排出され白米タンク６に排出される。
【００２１】
精白処理作業が進んで貯留ホッパ１０内に穀粒が順次貯留されていき、第二穀粒有無検出センサ１０ｂが穀粒有りを検出すると穀粒採取手段Ｍが作動を開始して貯留ホッパ１０内に貯留される玄米から設定量を採取する。
【００２２】
玄米を採取する工程は図３に示すとおりである。まず、玄米が第二穀粒有無検出センサ１０ｂが穀粒有りを検出するまでは穀粒採取容器３０は待機状態であり（図３（イ）参照）、玄米が第二穀粒有無検出センサ１０ｂを検出するとシリンダ３１が穀粒採取容器３０とガイド３２とを貯留ホッパ１０内に向かって横移動させ、上部開口部３０ａから玄米が穀粒採取容器３０内に流入する（図３（ロ）参照）。そして、シリンダ３１が穀粒採取容器３０とガイド３２を貯留ホッパ１０の外側に向かって横移動させ（図３（ハ）参照）、待機位置に戻って待機する（図３（ニ）参照）。
【００２３】
精米装置Ｓでの精白処理の能率がロータリバルブ２の繰り出し能率よりも著しく低い玄米の場合に、貯留ホッパ１０内に玄米が順次貯留され第三穀粒有無検出センサ１０ｃが穀粒有りを検出すると、ロータリバルブ２が穀粒投入ホッパ１内の玄米の繰り出しを一時停止し、第三穀粒有無検出センサ１０ｃが穀粒無しを検出すると再び玄米の繰り出しを開始する。
【００２４】
穀粒投入ホッパ１内に投入された玄米が順次繰り出されて精白処理され、穀粒有無検出センサ１ａが穀粒無しを検出すると、設定時間後に石抜装置４の残留米処理工程が行なわれる。すなわち、石抜シャッタ４ｃが作動して石抜シャッタ４ｃ近傍に集められた石を石落下通路４ｅに供給し石貯留箱４ｄに貯留すると共に、揺動選別板上に残留する玄米を残留米通路４ｆに排出して第二昇降機５に供給する。
【００２５】
そして、石抜装置４の残留米処理工程を行なった後に第一穀粒検出有無センサ１０ａが穀粒無しを検出すると終了間際未精白米防止処理工程が行なわれる。
すなわち、第一穀粒有無検出センサ１０ａが穀粒無しを検出すると、移動調節モータ２６で圧力調節板２５が穀粒排出口１９を閉塞する位置に移動すると共に、第一穀粒有無検出センサ１０ａが穀粒無しを検出して設定時間後にシリンダ３１が作動する。このとき、ピン３３が穀粒採取容器３０とガイド３２との連結状態を解除し、ガイド３２は待機状態で穀粒採取容器３０のみがシリンダ３１の作動で横移動して貯留ホッパ１０内に挿入される。すると、開口された下部開口部３０ｂから貯留ホッパ１０内に穀粒採取容器３０内の玄米が排出され（図４（イ）参照）穀粒採取容器３０は待機位置へ戻る（図４（ロ）参照）。
【００２６】
精白室Ｎ内の残留米に穀粒採取容器３０で採取された玄米が精白室Ｎに供給され穀粒排出口１９が閉塞された空間ｋ内に玄米が充填された状態で精白処理がなされ、設定時間経過後に圧力調節板２５が穀粒排出口１９が開になる方向に移動し、穀粒排出口１９から最後の精白米が白米タンク６に排出される。
【００２７】
本実施の形態の精米施設の効果について説明する。
精白処理作業の開始時と終了時においては精白室Ｎ内に十分な精白処理するために必要な玄米量が不足するため、白米タンク６に未精白米が排出されてしまう。
【００２８】
そこで、本実施の形態のように精白処理開始と精白処理終了間際に圧力調節板２５で穀粒排出口１９を閉塞し、精白室Ｎ内に精白作業に必要な玄米を充填して十分に精白処理してから穀粒排出口１９から玄米を白米タンク６に排出する構成とすることで未精白米の状態で白米タンク６に排出されることを防止することができる。この構成によると圧力調節板２５の移動制御のみで行なえるため、簡単な構成で行なうことができる。
【００２９】
また、穀粒投入ホッパ１に投入された全ての玄米は、精米装置Ｓを一回通過するだけで設定された精白度の精白米として白米タンク６に排出されるので迅速な精白処理作業を行なうことができる。
【００３０】
また、精白処理作業中に穀粒採取手段Ｍで貯留ホッパ１０から予め設定量、すなわち終了間際未精白米防止処理工程時に精白室Ｎ内を充填するのに必要な量の玄米を採取し、第一穀粒有無検出センサ１０ａが穀粒無しを検出してから設定時間経過後に穀粒採取手段Ｍで採取した玄米を供給することで、精白処理の終了間際を検出する第一穀粒有無検出センサ１０ａの検出精度がおおまかでも終了間際未精白米防止処理工程を安定して行なうことができる。
【００３１】
また、穀粒採取容器３０を貯留ホッパ１０内に挿入して玄米を採取するタイミングを第二穀粒有無検出センサ１０ｂが玄米有りを検出してからにすることで、確実に穀粒採取容器３０に必要な量の玄米を取り込むことができる。
【００３２】
また、石抜装置４の残留米処理工程の終了と第一穀粒有無検出センサ１０ａの穀粒無しの双方の条件を満たしてから終了間際未精白米防止処理工程を開始し、穀粒採取手段Ｍが採取した玄米を貯留ホッパ１０に排出する構成にすることで、穀粒採取手段Ｍの玄米排出を確実に適切な時に行なうことができる。
【００３３】
なお、第一穀粒有無検出センサ１０ａが穀粒無しを検出した後に繰り出しバルブ１１の回転速度を遅くすることで、バルブ内に確実に玄米を充填して繰り出せるため、未精白米防止処理工程時に精白室Ｎ内に充填する玄米量を安定させることができる。
【００３４】
また、開始時未精白米防止処理工程と終了間際未精白米防止処理工程における穀粒排出口１９を閉塞する時間は精白度選択スイッチ４３の選択によって変えるものとする。すなわち、無洗米スイッチ４３ａを選択した場合が十分に精白処理する必要から一番閉塞時間が長く、八分スイッチ４３ｄを選択したときの閉塞時間が一番短く設定することで開始時未精白米防止処理工程と終了間際未精白米防止処理工程における精白米を精白度選択スイッチ４３の選択による精白度の精白米にすることができる。
【図面の簡単な説明】
【００３５】
【図１】精米施設の作業工程図
【図２】精米装置の内部を説明する側面図
【図３】穀粒採取手段の穀粒採取工程図
【図４】穀粒採取手段の穀粒排出工程図
【図５】操作盤図
【図６】石抜装置の内部を説明する側面図
【図７】残留米処理工程を示す図
【図８】フローチャート
【符号の説明】
【００３６】
Ｓ      精米装置
Ｎ      精白室
１５    穀粒供給口
１９    穀粒排出口
２５    圧力調節板
Ｍ      穀粒採取手段
１０    貯留ホッパ
１０ａ  第一穀粒有無検出センサ
１０ｂ  第二穀粒有無検出センサ
【図１】
2008207061.tif 000003
【図２】
2008207061.tif 000004
【図３】
2008207061.tif 000005
【図４】
2008207061.tif 000006
【図５】
2008207061.tif 000007
【図６】
2008207061.tif 000008
【図７】
2008207061.tif 000009
【図８】
2008207061.tif 000010